(57)【特許請求の範囲】
【請求項１】
浴槽内の湯を循環ポンプにより吸湯管から吸入し循環路中で濾過、殺菌等の清浄化処理して再び浴槽に戻す浴湯清浄化装置において、浴水の予備的濾過の機能を持つ多孔質体片としてのフィルターに設けた切れ込みに浴水の殺菌のために浴水に溶解可能な塩素剤ユニットを収納して循環路中に着脱自在に収納したことを特徴とする循環風呂装置のプレフィルター。
【請求項２】
前記プレフィルタ−は浴槽湯清浄化装置の吸入側に配置したことを特徴とする請求項１に記載の循環風呂装置のプレフィルタ−。
【請求項３】
浴槽内の湯を循環ポンプにより吸湯管から吸入し循環路中で濾過、殺菌等の清浄化処理して再び浴槽に戻す浴湯清浄化装置において、上面に排湯口と底面に吸湯口を設けると共に、開封自在な蓋体を設け、前記排湯口を前記吸湯管に着脱自在に接続する密閉ケース本体と、この密閉ケース内の湯流れ用空隙に着脱自在に収納された多孔質体片のプレフィルターとを備えたプレフィルターユニットに関し、浴水の予備的濾過の機能を持つ多孔質体片としてのフィルターに設けた切れ込みに浴水の殺菌のために浴水に溶解可能な塩素剤ユニットを収納して循環路中に着脱自在に収納したことを特徴とする循環風呂装置のプレフィルター。
【請求項４】
前記塩素剤ユニットは固体塩素であることを特徴とする請求項１又は２又は３に記載の循環風呂装置のプレフィルター。
【請求項５】
前記塩素剤ユニットは適切な溶解量より多くするため湯に触れる表面の面積を大きくした固体塩素であることを特徴とする請求項４に記載の循環風呂装置のプレフィルター。
【請求項６】
前記塩素剤ユニットは適切な溶解量より少なくするため湯に触れる表面の面積を小さくした固体塩素であることを特徴とする請求項４に記載の循環風呂装置のプレフィルター。
【請求項７】
前記塩素剤ユニットは適切な溶解量より多くするため湯に触れる表面の面積を大きくした固体塩素と適切な溶解量より少なくするため湯に触れる表面の面積を小さくした固体塩素の組み合わせであることを特徴とする請求項４に記載の循環風呂装置のプレフィルター。
【発明の詳細な説明】
【０００１】
【発明の属する技術分野】
本発明は浴槽内の湯の濾過、殺菌等の清浄化処理を行うための浴湯清浄化装置に係り、特に浴槽内の湯を吸入する吸湯管の先端に設けるプレフィルターユニットのプレフィルターに関するものである。
【０００２】
【従来の技術】
浴槽内の湯を循環ポンプにより吸湯管から吸い上げ、湯中に浮遊した毛、垢等の汚れをフィルターで濾過するとともに、さらに活性石による活性化処理やオゾンによる殺菌処理をも行って清浄化を行い、この清浄化された湯を浴槽内に再び戻し、絶えず清浄な湯で入浴できるようにした浴湯清浄化装置が開発された。
この清浄化装置において、湯を直接濾過装置に送った場合には、フィルターの目詰りが早くこの交換を頻繁に行わなければならなくなる。
これは交換作業が煩わしいばかりでなく経済的な損失も大きくなる。
このため吸湯管の湯の吸入口にプレフィルターを設け予備的な濾過を行い、濾過装置に設けたメインフィルターの目詰りが早くなるのを防いでいる。
従来利用されているプレフィルターは、プレフィルターユニット内に装填され毛、垢等の濾過としての機能はほぼ達成されている。
【０００３】
【発明が解決しようとする課題】
浴槽内の湯を循環ポンプにより吸湯管から吸入し循環管路中で濾過、殺菌等の清浄化処理して再び浴槽に戻す浴湯清浄化装置は２４時間運転を行なっており、濾過と殺菌処理による循環系により一般細菌は充分浴水としての基準を維持することができている。
しかしかながら、その他の菌として、レジオネラ菌等については更に死滅させることが求められる。
死滅させるために塩素の投入が有効であるが、継続しての大量の塩素投入は、本体の濾過装置における清浄化処理中の滅菌サイクルに影響を与えることが確認されている。
死滅に有効な殺菌を行なうことでその後の繁殖を制御できることが効果的である。
本発明はこのような課題に対して提案するものであり、プレフィルター中に塩素剤ユニットを装填し、吸入時に溶けだす塩素剤の殺菌作用により菌類を殺菌するものである。その量を制御して装填しておけば、有効殺菌時間をコントロールすることができる。
プレフィルターと一体であるので、浴水の交換時に同時にプレフィルターも交換することで再度殺菌を期待することができる。
本考発明は前記したような従来技術の欠点を解消して、
浴槽内の湯の濾過、殺菌等の清浄化処理を行うための浴湯清浄化装置の多様な菌等を殺菌、滅菌を可能とすることを目的とする。
【０００４】
【課題を解決するための手段】
このため本発明では、浴槽内の湯を循環ポンプにより吸湯管から吸入し循環路中で濾過、殺菌等の清浄化処理して再び浴槽に戻す浴湯清浄化装置において、浴水の予備的濾過の機能を持つ多孔質体片としてのフィルターに設けた切れ込みに浴水の殺菌のために浴水に溶解可能な塩素剤ユニットを収納して循環路中に着脱自在に収納したことを特徴とする循環風呂装置のプレフィルターとすることで課題を解決した。
また、プレフィルタ−は浴槽湯清浄化装置の吸入側に配置したことで課題を解決した。
また、浴槽内の湯を循環ポンプにより吸湯管から吸入し循環路中で濾過、殺菌等の清浄化処理して再び浴槽に戻す浴湯清浄化装置において、上面に排湯口と底面に吸湯口を設けると共に、開封自在な蓋体を設け、前記排湯口を前記吸湯管に着脱自在に接続する密閉ケース本体と、この密閉ケース内の湯流れ用空隙に着脱自在に収納された多孔質体片のプレフィルターとを備えたプレフィルターユニットに関し、浴水の予備的濾過の機能を持つ多孔質体片としてのフィルターに設けた切れ込みに浴水の殺菌のために浴水に溶解可能な塩素剤ユニットを収納して循環路中に着脱自在に収納したことを特徴とする循環風呂装置のプレフィルターとすることで課題を解決した。
また、塩素剤ユニットは固体塩素であることで課題を解決した。
また、塩素剤ユニットは適切な溶解量より多くするため湯に触れる表面の面積を大きくした固体塩素であることで課題を解決した。
また、塩素剤ユニットは適切な溶解量より少なくするため湯に触れる表面の面積を小さくした固体塩素であることで課題を解決した。
また、記塩素剤ユニットは適切な溶解量より多くするため湯に触れる表面の面積を大きくした固体塩素と適切な溶解量より少なくするため湯に触れる表面の面積を小さくした固体塩素の組み合わせであることで課題を解決した。
【０００５】
【作用】
本発明は、プレフィルター中に塩素剤ユニットを装填し、吸入時に溶けだす塩素剤の殺菌作用により菌類を殺菌する。その量を制御して装填しておけば、有効殺菌時間をコントロールすることができる。
プレフィルターと一体であるので、浴水の交換時に同時にプレフィルターも交換することで再度殺菌を期待することができる。
【０００６】
【発明の実施の形態】
本考案のプレフィルターユニットは図１〜図４に示す通りであり、図１と図２には密閉ケースの蓋を閉じた状態と開けた状態の斜視図が示され、図３と図４にはプレフィルターを収納した状態の縦断面図と横断面図が示されている。
１がケース本体であり、このケース本体１には密閉用のフック１０が設けられた蓋体６がヒンジ９によって開閉自在に装着されている。
【０００７】
尚、このケース本体１に対し蓋体６を開閉自在に装着する構造は、前記したようなヒンジ構造でなく、例えばケースと蓋との２分割構造としても良い。
ケース本体１の底面には吸湯口２が設けられ、プレフィルターを底面との間に湯流れ用の空隙を設けて支持するとともに湯流れの案内をするための複数の湯流れ案内リブ３が複数本互に平行に立設されている。
【０００８】
４はプレフィルター１１を収納する際の位置決めと、プレフィルター１１によって濾過された湯の吸湯管への排出を円滑に行わせるため排湯口８の真下に湯溜り部５を形成するため底面に立設された仕切リブである。
蓋体６の上面には吸湯管に接続する排湯口８が設けられており、７はプレフィルター１１と蓋体５の上面との間に湯流れ用の空隙を設けて軽く押圧して支持するとともに湯流れの案内をするために複数本互に平行に立設された湯流れ案内リブである。
【０００９】
プレフィルター１０は、所定厚さの多孔質体片であり、これは密閉ケース内に前記したようにケース本体１及び蓋体６に設けた湯流れ案内リブ３及び６によって密着して支持されるよう発泡ウレタン片のような適度の弾性を持つ多孔質体片であることが好ましい。
これは、湯流れ案内リブ７とプレフィルター１１との間に隙間があると、湯の吸引力によってプレフィルター１１が蓋体５の湯流れ案内リブ７側に吸引され、プレフィルター１１とケース本体１の湯流れ案内リブ３との間にできた隙間を通ってプレフィルター１１によって濾過されない湯が排湯口８に向って流れてしまうのを防ぐためである。
【００１０】
プレフィルターユニットにおける湯の流れは図４に矢印に示す通りであり、吸湯口２から吸入され湯はケース本体１の底面とプレフィルター１１との隙間を湯流れ案内リブ３によって案内されつつ流れた後プレフィルター１１によって予備的な濾過をされ、蓋体６との隙間に流出し湯流れ案内リブ７によって案内されて排湯口８に向って流れ、湯溜り部５にて流れが調整されつつ排湯口８から吸湯管に向って流れて行く。
【００１１】
本発明のプレフィルターは図７および図８のような構成であり、プレフィルター１１に切れ込み１１ａを設け、その間に塩素剤ユニット５０が挿入されている。なお、図９および図１０に示す如く、薄型のフィルター素材例えば不織布のようなフィルター素材を袋状にしてその間に収納してもよい。また、塩素剤ユニットは溶解性のカプセルに収納したものであってもよい。
【００１２】
このように構成されるプレフィルターユニットは、排湯口８を吸湯管に接続して装着されるが、この状態を第５図の清浄化装置を装着した風呂装置の斜視図、第６図のこの吸排装置の一部の縦断面図により説明する。
【００１３】
第５図において１３は濾過、殺菌、活性化等の各清浄化処理の手段をユニット化してまとめた清浄化ユニットであり、浴槽１２内の湯を吸入したり清浄化処理後の湯を浴槽に戻したりする吸排湯ユニット１４が浴槽１２に装着されており、吸排湯ユニット１４と清浄化ユニット１３とは吸排湯接続管１５,１６,１７等によって連結されている。  第６図によりプレフィルターユニット１８を吸排湯ユニット１４内に装着した状態を説明する。  吸排湯ユニット１４は本体１９に下カバー２０が開閉自在に装着されており取付板２２に支持された接続管２３に吸湯ホース２１と吸湯口パッキン２４とが嵌め合わされている。
【００１４】
プレフィルターユニット１８は、蓋体６の排湯口８の上端面を接続管２３の下端面に当接させて吸排湯ユニット１４の下端部に装着されており、前記排湯口８と接続管２３との当接部は吸湯口パッキン２４で覆われて湯のもれが防がれている。
次に前記したようにプレフィルターユニットを装着した清浄化装置においてプレフィルターに目詰りが生じた場合の交換方法について説明する。
【００１５】
プレフィルターの交換に際しては、先ず吸排湯ユニット１４の下カバー２０を開けてプレフィルターユニット１８を取り出す。
次いでプレフィルターユニット１８の蓋体６を開けた後下向きにして軽くたたくと、プレフィルター１１は容易にくずかご等の中に落下させ捨てることができる。
この後新しいプレフィルターをプレフィルターユニット１８のケース本体１の湯流れ案内用リブ３の上に載置し蓋体６を閉め、再びこのプレフィルターユニット１８を吸排湯ユニット１４に装着して交換作業を終る。
【００１６】
以上の交換作業において、汚れたプレフィルター１１には全く手を触れておらず、極めて清潔に作業が行えている。
また、従来のプレフィルターの交換作業時によく生じたような、プレフィルターを吸湯管から取り外す際にプレフィルター内に溜った汚物を湯の中に落して湯を汚してしまうようなことも起きない。
【００１７】
さらに、プレフィルターとして利用する発泡ポリウレタンのような多孔質体片に塩素剤ユニットを配して時間の経過と共に溶出するようにしたから適切な状態で適切な量の塩素剤を浴水中に投入することができ、特に循環ポンプによる浴水の循環に伴なって溶出するから浴水全体に対して塩素剤の濃度分布をコントロールすることができる。
【００１８】
なお、塩素剤ユニットの実施の形態として塩素剤を注入したものを示したが、この他塩素剤をカプセルに入れて扱いの容易さ、時効性の調節を容易化するものも有効である。
【００１９】
またプレフィルターに塩素剤を含浸させたものも有効である。
【００２０】
また塩素剤ユニットは塩素剤とバインダーとの組み合わせとして時効性を調節するものも有効である。
【００２１】
また塩素剤ユニットを浴水が浸潤して溶出するような適宜のケースに収納するものも有効である。
【発明の効果】
本考案は前記したような構成及び作用のものであり、プレフィルター中に塩素剤ユニットを装填し、吸入時に溶けだす塩素剤の殺菌作用により菌類を殺菌するものである。その量を制御して装填しておけば、有効殺菌時間をコントロールすることができる。
またプレフィルターと一体であるので、浴水の交換時に同時にプレフィルターも交換することで再度殺菌を期待することができる。
結果として、浴槽内の湯の濾過、殺菌等の清浄化処理を行うための浴湯清浄化装置の多様な菌等を殺菌、滅菌を可能とすることができる。
【図面の簡単な説明】
【図１】蓋を閉じた状態の密閉ケースの斜視図
【図２】蓋を開いた状態の密閉ケースの斜視図
【図３】プレフィルターユニットの縦断面図
【図４】プレフィルターユニットの横断面図
【図５】浴槽に清浄化装置を装着した状態を示す斜視図
【図６】プレフィルターユニットを装着した吸排湯ユニットの部分縦断面図
【図７】プレフィルターと塩素剤ユニットの斜視図
【図８】プレフィルターに塩素剤ユニットを収納した状態の説明図
【図９】プレフィルターと塩素剤ユニットを収納した状態の説明図
【図１０】プレフィルターの断面説明図
【符号の説明】
１…ケース本体、２…吸湯口、６…蓋体、８…排湯口、９…ヒンジ、１１…プレフィルター、１４…吸排湯ユニット、１８…プレフィルターユニット、２１…吸湯ホース、２３…接続管、５０…塩素剤ユニット。
【図１】
0004015216.tif 000002
【図２】
0004015216.tif 000003
【図３】
0004015216.tif 000004
【図４】
0004015216.tif 000005
【図５】
0004015216.tif 000006
【図６】
0004015216.tif 000007
【図７】
0004015216.tif 000008
【図８】
0004015216.tif 000009
【図９】
0004015216.tif 000010
【図１０】
0004015216.tif 000011